(57)【特許請求の範囲】
【請求項１】
ハウジング（１、１１）と、
ハウジング（１、１１）の底部に形成された貫通孔（１ａ、１１ａ）と係合して、ハウジング（１、１１）に取り付け取り外しが自在であり、かつ単一種類の形状から成るパーティション（４、１４）と、
ハウジング（１、１１）で仕切られた領域を照す光源（３、１３）を具備し、
パーティション（４、１４）を取り付け取り外しすることにより、光源（３、１３）の照光領域を変更可能とすることを特徴とする遊技機における照光装置。
【請求項２】
パーティション（４、１４）は、横断面がＶ字状の三角柱状に樹脂により形成され、突起部（４ｃ、１４ｃ）を前記貫通孔（１ｃ、１１ｃ）に挿入係合して、ハウジング（１、１１）に固定されることを特徴とする請求項１に記載の遊技機における照光装置。
【請求項３】
前記貫通孔（１ｃ、１１ｃ）が正方形であり、パーティション（４、１４）を縦方向または横方向のいずれの方向にも挿入係合することが可能であることを特徴とする請求項１に記載の遊技機における照光装置。
【発明の詳細な説明】
【技術分野】
【０００１】
本発明は、遊技機における照光装置に関するものである。
【背景技術】
【０００２】
遊技機において、機器の背面から投光して面表示を行う照光装置が従来より公知となっている。
【特許文献１】特開２００５−８７５０３号公報
【特許文献２】特開２００５−１６８６８５号公報
【発明の開示】
【発明が解決しようとする課題】
【０００３】
従来の遊技機における照光装置は、光源と光源を仕切っているパーティションを固定していたために、遊技機の仕様が変わる度に照光装置の形状を変更しなければならなかった。また、固定したパーティションを数多く設けたハウジングを使用し、遊技機の仕様に見合ったエリア内の光源を点灯させておけば、仕様が変わる度に照光装置の形状を変更しなくても済むように思われるが、実際にはデザインパネルには点灯している光源間のパーティションの影が映ってしまったり、この影をなくすためにパーティションとデザインパネルの間を広げると、境目の陰影がシャープにならず、照光してはならないエリアが光ってしまったりする問題もあった。
【０００４】
また、仕切り板を枠体から切り離しや着脱を可能とした照光装置の構造も公知となっているが、照光装置や仕切り板の形状が複雑であるために、金型費が高価となる欠点があった。
【０００５】
本発明は、上記の問題点に鑑みてなされたもので、照光領域を変更して照光演出を容易に変更できる、遊技機における照光装置を提供することを目的とする。
【課題を解決するための手段】
【０００６】
この目的を達成するために、請求項１の発明による遊技機における照光装置は、ハウジング（１、１１）と、ハウジング（１、１１）の底部に形成された貫通孔（１ａ、１１ａ）と係合して、ハウジング（１、１１）に取り付け取り外しが自在であり、かつ単一種類の形状から成るパーティション（４、１４）と、ハウジング（１、１１）で仕切られた領域を照す光源（３、１３）を具備し、パーティション（４、１４）を取り付け取り外しすることにより、光源（３、１３）の照光領域を変更可能とすることを特徴とする。
請求項２の発明による遊技機における照光装置は、請求項１において、パーティション（４、１４）は、横断面がＶ字状の三角柱状に樹脂により形成され、突起部（４ｃ、１４ｃ）を貫通孔（１ｃ、１１ｃ）に挿入係合して、ハウジング（１、１１）に固定されることを特徴とする。
請求項３の発明による遊技機における照光装置は、請求項１において、貫通孔（１ｃ、１１ｃ）が正方形であり、パーティション（４、１４）を縦方向または横方向のいずれの方向にも挿入係合することが可能であることを特徴とする。
【発明の効果】
【０００７】
以上のように、本発明の遊技機における照光装置によれば、照光装置の仕切り板を取り外し可能にしたので、金型を変更することなく、製造後においても遊技機の特性に合わせて照光演出を容易に変更できる。また、同一部品を複数種類の照光装置で共用できるので、コストダウンや在庫管理が容易となる。
【発明を実施するための最良の形態】
【０００８】
以下、本発明の実施の形態を図面に基づいて説明する。
【実施例１】
【０００９】
図１は、本発明による遊技機における照光装置の第１実施形態を示す側面図および正面図である。図２は、第１実施形態を示す断面図および底面図である。図３は、第１実施形態を示す斜視図である。
【００１０】
図１において、樹脂により略直方体状に形成されたハウジング１には、底部にプリント配線基板２が取り付けられている。プリント配線基板２にはＬＥＤ３が載置されており、ＬＥＤ３はハウジング１の底部に形成されている貫通孔１ａを介してハウジング１の正面に露出している。なお、図１（ａ）ではプリント配線基板２は複数枚に分割した状態を示しているが、一枚の基板で構成することもできる。
【００１１】
図２（ａ）は図１（ｂ）のＡ−Ａ線断面図、図２（ｂ）は図１（ｂ）の底面図である。ハウジング１の底部には貫通孔１ｂおよび１ｃが形成されており、後述するパーティション４の突起部４ｂおよび４ｃがそれぞれに係合する。
【００１２】
図４は、パーティション４を示す上面図、正面図、側面図および底面図である。図５は、パーティション４を示す斜視図である。パーティション４は、三角柱状に樹脂により形成される。パーティション４の横断面はＶ字状であり、中央部に形成された突起部４ｃを図４（ｃ）の左右方向から指で挟むと弾性により突起部４ｃの間隔を狭めることができる。パーティション４の両端部には、円柱状の突起部４ｂが形成されている。突起部４ｂおよび４ｃは、突起部４ｃの間隔を狭めた状態で、上述したハウジング１の貫通孔１ｂおよび１ｃにそれぞれが挿入係合してハウジング１に固定される。
【００１３】
ハウジング１にパーティション４を固定した状態を、図６（ａ）に斜視図で示す。図６（ａ）では、取り付け可能な全ての貫通孔１ｃにパーティション４を固定した状態を示している。ＬＥＤ３が載置されたプリント配線基板２とパーティション４を固定したハウジング１をランプパネルアセンブリ１００の背面からランプパネル１０１の左右端に取り付けられ、デザインパネル１０２を背面から照光する。結果として、デザインパネル１０２は６つの小型の照光領域に分けて照光される。この状態から、例えば図６（ａ）の最も上部のパーティション４を外すと、１つの大型の照光領域と、４つの小型の照光領域に分けて照光されるように変更することが可能である。なお、図６（ａ）ではプリント配線基板２は一枚の基板で構成した状態を示している。
【００１４】
図７は、本発明による遊技機における照光装置の第２実施形態を示す側面図および正面図である。図８は、第２実施形態を示す断面図および底面図である。図９は、第２実施形態を示す斜視図である。
【００１５】
図７において、樹脂により略直方体状に形成されたハウジング１１には、側面にプリント配線基板１２が取り付けられる（図６参照）。プリント配線基板１２にはＬＥＤ１３が載置されており、ＬＥＤ１３はハウジング１１の側面に形成されている貫通孔１１ｄを介してハウジング１１の側面に露出している。
【００１６】
図８（ａ）は図７（ｂ）のＢ−Ｂ線断面図、図８（ｂ）は図７（ｂ）の底面図である。ハウジング１１の底部には貫通孔１１ｂおよび１１ｃが形成されており、上述したパーティション４の突起部４ｂおよび４ｃがそれぞれに係合する。
【００１７】
ハウジング１１にパーティション４を固定した状態を、図６（ｂ）に斜視図で示す。図６（ｂ）では、取り付け可能な全ての貫通孔１１ｃにパーティション４を固定した状態を示している。ＬＥＤ１３が載置されたプリント配線基板１２とパーティション１４を固定したハウジング１１をランプパネルアセンブリ１００の背面からランプパネル１０１の左右端に取り付けられ、デザインパネル１０２を背面から照光する。結果として、デザインパネル１０２は６つの小型の照光領域に分けて照光される。この状態から、例えば図６（ｂ）の最も上部のパーティション４を外すと、１つの大型の照光領域と、４つの小型の照光領域に分けて照光されるように変更することが可能である。
【００１８】
図１０および図１１はパーティション４の変形例を示している。図１０および図１１におけるパーティション１４は、三角柱状に樹脂により形成される。パーティション１４の横断面はＶ字状であり、中央部に形成された突起部１４ｃを図１０（ｃ）の左右方向から指で挟むと弾性により突起部１４ｃの間隔を狭めることができる。突起部１４ｃは、突起部１４ｃの間隔を狭めた状態で、上述したハウジング１の貫通孔１ｃまたはハウジング１１の貫通孔１１ｃに挿入係合して、ハウジング１またはハウジング１１に固定される。パーティション１４を、上述したパーティション４と比較すると、図４および図５に示す突起部４ｂが省略され、中央部の突起部１４ｃのみが存在する点が相違する。
【００１９】
以上、本発明を実施の形態により説明したが、本発明の技術的思想によれば、種々の変形が可能である。例えば、上述した実施形態においては、横長の貫通孔１ｃおよび１１ｃにパーティション４またはパーティション１４を横長方向に固定するものとして説明したが、貫通孔１ｃおよび１１ｃを正方形に形成してパーティション４またはパーティション１４を縦長方向に固定するようにしても良い。
【産業上の利用可能性】
【００２０】
本発明は、遊技機における照光装置で利用可能な技術を提示している。
【図面の簡単な説明】
【００２１】
【図１】遊技機における照光装置を示す側面図および正面図である。（実施例１）
【図２】遊技機における照光装置を示す断面図および底面図である。（実施例１）
【図３】遊技機における照光装置を示す斜視図である。（実施例１）
【図４】遊技機における照光装置を示す上面図、正面図、側面図および底面図である。（実施例１）
【図５】遊技機における照光装置を示す斜視図である。（実施例１）
【図６】遊技機における照光装置を示す斜視図である。（実施例１、実施例２）
【図７】遊技機における照光装置を示す側面図および正面図である。（実施例２）
【図８】遊技機における照光装置を示す断面図および底面図である。（実施例２）
【図９】遊技機における照光装置を示す斜視である。（実施例２）
【図１０】遊技機における照光装置を示す上面図、正面図、側面図および底面図である。
【図１１】遊技機における照光装置を示す斜視図である。
【符号の説明】
【００２２】
１    ハウジング
１ａ  貫通孔
１ｂ  貫通孔
１ｃ  貫通孔
１ｄ  貫通孔
２    プリント配線基板
３    ＬＥＤ
４    パーティション
４ｂ  突起部
４ｃ  突起部
１１    ハウジング
１１ｂ  貫通孔
１１ｃ  貫通孔
１２    プリント配線基板
１３    ＬＥＤ
１４    パーティション
１４ｃ  突起部
１００    ランプパネルアセンブリ
１０１    ランプパネル
１０２    デザインパネル
【図１】
0004491821.tif 000002
【図２】
0004491821.tif 000003
【図３】
0004491821.tif 000004
【図４】
0004491821.tif 000005
【図５】
0004491821.tif 000006
【図６】
0004491821.tif 000007
【図７】
0004491821.tif 000008
【図８】
0004491821.tif 000009
【図９】
0004491821.tif 000010
【図１０】
0004491821.tif 000011
【図１１】
0004491821.tif 000012